(57)【要約】【課題】ブロック間の境界をなくすことができる液晶表示装置の駆動装置、及びこれを有する液晶表示装置を提供する。【解決手段】複数の画素を含む液晶表示装置の駆動装置は、互いに連結され、順次に出力信号を生成する複数のシフトレジスタと、各シフトレジスタに共通に連結される複数の伝送ゲートを含む伝送ゲート部と、を有し、各シフトレジスタはシフト開始信号と、互いに位相が反対である第１及び第２クロック信号のうちの少なくとも１つの信号の入力を受け、シフト開始信号のハイ区間は、第１又は第２クロック信号の二周期に相当し、各シフトレジスタの出力信号は伝送ゲート部の伝送ゲートを少なくとも二回導通させる。このような方式で、事前充電と本充電を行うことによって、ブロック間の境界が見られる現象を防止することができる。【選択図】図６
2007140528.tif 000002
【特許請求の範囲】
【請求項１】
複数の画素を有する液晶表示装置の駆動装置であって、
互いに連結され、順次に出力信号を生成する複数のシフトレジスタと、
前記各シフトレジスタに共通に連結される複数の伝送ゲートを含む伝送ゲート部と、を有し、
前記各シフトレジスタは、シフト開始信号と、互いに位相が反対である第１及び第２クロック信号のうちの少なくとも１つの信号の入力を受け、
前記シフト開始信号のハイ区間（ｈｉｇｈ  ｉｎｔｅｒｖａｌ）は、前記第１又は第２クロック信号の二周期に相当することを特徴とする液晶表示装置の駆動装置。
【請求項２】
前記各シフトレジスタの出力信号は、前記伝送ゲート部の伝送ゲートを少なくとも二回導通させることを特徴とする請求項１に記載の液晶表示装置の駆動装置。
【請求項３】
前記各シフトレジスタのうちの、奇数番目のシフトレジスタは前記第１クロック信号に同期して出力信号を生成し、偶数番目のシフトレジスタは前記第２クロック信号に同期して出力信号を生成することを特徴とする請求項２に記載の液晶表示装置の駆動装置。
【請求項４】
前記各シフトレジスタの出力信号のうちの奇数番目は奇数番目同士で、偶数番目は偶数番目同士でハイ区間が少なくとも一回重なることを特徴とする請求項３に記載の液晶表示装置の駆動装置。
【請求項５】
前記伝送ゲートの入力端子に連結され、外部からのアナログデータ電圧を伝達するデータ電圧線をさらに有することを特徴とする請求項４に記載の液晶表示装置の駆動装置。
【請求項６】
前記液晶表示装置は前記画素にデータ電圧を伝達するデータ線をさらに有し、
前記伝送ゲート部には前記データ電圧線の個数だけ前記データ線が連結されることを特徴とする請求項５に記載の液晶表示装置の駆動装置。
【請求項７】
前記シフトレジスタの出力信号は第１及び第２ハイ区間を有し、
あるシフトレジスタの出力信号の前記第２ハイ区間は後段のシフトレジスタのうちの少なくとも一部の出力信号の前記第１ハイ区間と重なることを特徴とする請求項１に記載の液晶表示装置の駆動装置。
【請求項８】
前記シフトレジスタのうちの第１及び第２シフトレジスタの出力信号の第１ハイ区間の間に、データ電圧を供給する電圧印加部をさらに有することを特徴とする請求項７に記載の液晶表示装置の駆動装置。
【請求項９】
複数の画素及びこれに連結されるデータ線と、
互いに連結され、順次に出力信号を生成する複数のシフトレジスタと、
前記各シフトレジスタに共通に連結される複数の伝送ゲートを含む伝送ゲート部と、を有し、
前記各シフトレジスタは、シフト開始信号と、互いに位相が反対である第１及び第２クロック信号のうちの少なくとも１つの信号の入力を受け、
前記シフト開始信号のハイ区間は、前記第１又は第２クロック信号の二周期に相当することを特徴とする液晶表示装置。
【請求項１０】
前記各シフトレジスタの出力信号は、前記伝送ゲート部の伝送ゲートを少なくとも二回導通させることを特徴とする請求項９に記載の液晶表示装置。
【請求項１１】
前記各シフトレジスタのうちの、奇数番目のシフトレジスタは前記第１クロック信号に同期して出力信号を生成し、偶数番目のシフトレジスタは前記第２クロック信号に同期して出力信号を生成することを特徴とする請求項１０に記載の液晶表示装置。
【請求項１２】
前記各シフトレジスタの出力信号のうちの奇数番目は奇数番目同士で、偶数番目は偶数番目同士でハイ区間が少なくとも一回重なることを特徴とする請求項１１に記載の液晶表示装置。
【請求項１３】
前記伝送ゲートの入力端子に連結され、外部からのアナログデータ電圧を伝達するデータ電圧線をさらに有することを特徴とする請求項１２に記載の液晶表示装置。
【請求項１４】
前記伝送ゲート部には、前記データ電圧線の個数だけ前記データ線が連結されることを特徴とする請求項１３に記載の液晶表示装置。
【請求項１５】
前記アナログデータ電圧を供給する信号制御部をさらに有することを特徴とする請求項１４に記載の液晶表示装置。
【請求項１６】
前記シフトレジスタの出力信号は第１及び第２ハイ区間を有し、
あるシフトレジスタの出力信号の前記第２ハイ区間は後段のシフトレジスタのうちの少なくとも一部の出力信号の前記第１ハイ区間と重なることを特徴とする請求項９に記載の液晶表示装置。
【請求項１７】
前記シフトレジスタのうちの第１及び第２シフトレジスタの出力信号の第１ハイ区間の間に、データ電圧を供給する電圧印加部をさらに有することを特徴とする請求項１６に記載の液晶表示装置。
【請求項１８】
前記画素と前記データ線が備えられる液晶表示板組立体をさらに有し、
前記シフトレジスタ及び伝送ゲート部は前記液晶表示板組立体に集積されることを特徴とする請求項９に記載の液晶表示装置。
【請求項１９】
前記画素は低温多結晶シリコンからなることを特徴とする請求項９に記載の液晶表示装置。
【発明の詳細な説明】
【技術分野】
【０００１】
本発明は、液晶表示装置の駆動装置、及びこれを有する液晶表示装置に関するものである。
【背景技術】
【０００２】
一般的な液晶表示装置（ｌｉｑｕｉｄ  ｃｒｙｓｔａｌ  ｄｉｓｐｌａｙ、ＬＣＤ）は、画素電極及び共通電極が備えられた二枚の表示板と、その間に入っている誘電率異方性（ｄｉｅｌｅｃｔｒｉｃ  ａｎｉｓｏｔｒｏｐｙ）を有する液晶層を含む。画素電極は、行列形態で配列されていて、薄膜トランジスタ（ＴＦＴ）などのスイッチング素子に連結されて一行ずつ順次にデータ電圧の印加を受ける。共通電極は、表示板の全面にわたって形成されていて、共通電圧の印加を受ける。画素電極と共通電極及びその間の液晶層は、回路的に見る時、液晶キャパシタを構成し、液晶キャパシタはこれに連結されたスイッチング素子と共に画素を構成する基本単位となる。
【０００３】
このような液晶表示装置は、スイッチング素子を有する画素と、表示信号線が備えられた表示板と、表示信号線のうちのゲート線にゲート信号を出力して画素のスイッチング素子を導通又は遮断させるゲート駆動部と、複数の階調電圧を生成する階調電圧生成部と、階調電圧のうちの映像データに相当する電圧をデータ電圧として選択して表示信号線のうちのデータ線にデータ電圧を印加するデータ駆動部と、これらを制御する信号制御部とを有する。
【０００４】
一方、液晶表示装置の中で低温多結晶シリコン（ｌｏｗ  ｔｅｍｐｅｒａｔｕｒｅ  ｐｏｌｙ  ｃｒｙｓｔａｌｌｉｎｅ  ｓｉｌｉｃｏｎ）薄膜トランジスタを利用した液晶表示装置は多様な分野で採用されており、特に最近は中小型製品で積極的に適用されている。最近は２００ｐｐｉ（ｐｉｘｅｌ  ｐｅｒ  ｉｎｃｈ）級解像度に２５６階調（８ｂｉｔｓ）を有する製品の需要がＡＶ（Ａｕｄｉｏ  Ｖｉｓｕａｌ）を中心に増大している。しかし、解像度の増加と階調数の増加は液晶表示装置の駆動ＩＣ（ｉｎｔｅｇｒａｔｅｄ  ｃｉｒｃｕｉｔ）の大きさを増加させるため、これを液晶表示パネル上に装着する、いわゆるＣＯＧ（ｃｈｉｐ  ｏｎ  ｇｌａｓｓ）形態のＩＣとしては対応するのが難しい。
【０００５】
その結果、液晶表示パネルの大きさを小さくするために、データ駆動ＩＣに全ての機能を盛り込むのではなく、データ駆動ＩＣ内部のシフトレジスタを液晶表示パネルに実装し、デジタル−アナログ変換器などを信号制御部に実装する方法が提案された。このような方法の中で、シフトレジスタの駆動方式によってポイントアドレシング（ｐｏｉｎｔ−ａｄｄｒｅｓｓｉｎｇ）方式とブロックアドレシング（ｂｌｏｃｋ−ａｄｄｒｅｓｓｉｎｇ）方式があるが、ポイントアドレシング方式は、信号制御部からデータ電圧を、シフトレジスタを通じて画素電極に順次に印加する方式であり、ブロックアドレシング方式は、シフトレジスタを所定の個数のブロックに分割してブロックごとのデータ電圧を、各シフトレジスタを通じて画素電極に印加する方式である。
【０００６】
低い解像度の場合には、ポイントアドレシング方式が利用できるが、２００ｐｐｉ級以上の解像度では薄膜トランジスタの性能が非常に良くなければならないので、その適用が容易ではない。反面、ブロックアドレシング方式は解像度の制約は少ないが、液晶表示パネル内でブロック間の境界が見られるという問題がある。
【発明の開示】
【発明が解決しようとする課題】
【０００７】
そこで、本発明は上記従来の液晶表示装置における駆動方式の問題点に鑑みてなされたものであって、本発明の目的は、ブロック間の境界をなくすことができる液晶表示装置の駆動装置、及びこれを有する液晶表示装置を提供することにある。
【課題を解決するための手段】
【０００８】
上記目的を達成するためになされた本発明の一特徴による液晶表示装置の駆動装置は、行列形態で配列される複数の画素を有する液晶表示装置の駆動装置であって、互いに連結され、順次に出力信号を生成する複数のシフトレジスタと、前記各シフトレジスタに共通に連結される複数の伝送ゲートを含む伝送ゲート部と、を有し、前記各シフトレジスタは、シフト開始信号と、互いに位相が反対である第１及び第２クロック信号のうちの少なくとも１つの信号の入力を受け、前記シフト開始信号のハイ区間は、前記第１又は第２クロック信号の二周期に相当する。
その結果、前記各シフトレジスタの出力信号は、前記伝送ゲート部の伝送ゲートを少なくとも二回導通させることができる。
また、前記各シフトレジスタのうちの、奇数番目のシフトレジスタは前記第１クロック信号に同期して出力信号を生成し、偶数番目のシフトレジスタは前記第２クロック信号に同期して出力信号を生成することができる。
この時、前記各シフトレジスタの出力信号のうちの奇数番目は奇数番目同士で、偶数番目は偶数番目同士でハイ区間が少なくとも一回重なることができる。
また、前記伝送ゲートの入力端子に連結され、外部からのアナログデータ電圧を伝達するデータ電圧線をさらに有することができる。
前記液晶表示装置は前記画素にデータ電圧を伝達するデータ線をさらに有し、前記伝送ゲート部には前記データ電圧線の個数だけ前記データ線を連結することができる。
一方、前記シフトレジスタの出力信号は第１及び第２ハイ区間を有し、あるシフトレジスタの出力信号の前記第２ハイ区間は後段のシフトレジスタのうちの少なくとも一部の出力信号の前記第１ハイ区間と重なることができる。
また、前記シフトレジスタのうちの第１及び第２シフトレジスタの出力信号の第１ハイ区間の間にデータ電圧を供給する電圧印加部をさらに有することができる。
【０００９】
上記目的を達成するためになされた本発明の一特徴による液晶表示装置は、複数の画素及びこれに連結されるデータ線と、互いに連結されて、順次に出力信号を生成する複数のシフトレジスタと、前記各シフトレジスタに共通に連結される複数の伝送ゲートを含む伝送ゲート部と、を有し、前記各シフトレジスタは、シフト開始信号と、互いに位相が反対である第１及び第２クロック信号のうちの少なくとも１つの信号の入力を受け、前記シフト開始信号のハイ区間は、前記第１又は第２クロック信号の二周期に相当する。
また、前記各シフトレジスタの出力信号は、前記伝送ゲート部の伝送ゲートを少なくとも二回導通させることができる。
この時、前記各シフトレジスタのうちの、奇数番目のシフトレジスタは前記第１クロック信号に同期して出力信号を生成し、偶数番目のシフトレジスタは前記第２クロック信号に同期して出力信号を生成することができる。
前記各シフトレジスタの出力信号のうちの奇数番目は奇数番目同士で、偶数番目は偶数番目同士でハイ区間が少なくとも一回重なることができる。
一方、前記伝送ゲートの入力端子に連結され、外部からのアナログデータ電圧を伝達するデータ電圧線をさらに有することができ、前記伝送ゲート部には、前記データ電圧線の個数だけ前記データ線を連結することができる。
また、前記アナログデータ電圧を供給する信号制御部をさらに有することができる。
前記シフトレジスタの出力信号は第１及び第２ハイ区間を有し、あるシフトレジスタの出力信号の前記第２ハイ区間は後段のシフトレジスタのうちの少なくとも一部の出力信号の前記第１ハイ区間と重なることができる。
また、前記シフトレジスタのうちの第１及び第２シフトレジスタの出力信号の第１ハイ区間の間、データ電圧を供給する電圧印加部をさらに有することができる。
一方、前記画素と前記データ線が備えられる液晶表示板組立体をさらに有し、前記シフトレジスタ及び伝送ゲート部は前記液晶表示板組立体に集積されてもよく、前記画素は低温多結晶シリコンからなってもよい。
【発明の効果】
【００１０】
本発明による液晶表示装置の駆動装置、及びこれを有する液晶表示装置によれば、事前充電と本充電を行うことによって、ブロック間に境界が現れる現象を防止することができる。
【発明を実施するための最良の形態】
【００１１】
以下、本発明による液晶表示装置の駆動装置、及びこれを有する液晶表示装置を実施するための最良の形態の具体例を、図面を参照しながら詳細に説明する。
【００１２】
図面において多様な層及び領域を明確に表現するために厚さを拡大して示した。明細書全体にわたって類似する部分については同一図面符号を付けた。層、膜、領域、板などの部分が他の部分の上にあるとする時、これは他の部分の直上にある場合だけでなく、その中間に他の部分がある場合も含む。反対に、ある部分が他の部分の直上にあるとする時には中間に他の部分がないことを意味する。
【００１３】
まず、図１及び図２を参照して本発明の一実施形態による液晶表示装置について詳細に説明する。
図１は、本発明の一実施形態による液晶表示装置のブロック図であり、図２は、本発明の一実施形態による液晶表示装置の１つの画素に対する等価回路図である。
【００１４】
図１に示したように、本発明の一実施形態による液晶表示装置は、液晶表示板組立体３００、これと連結されたゲート駆動部４００及びデータ駆動部５００、データ駆動部５００に連結された階調電圧生成部８００、そしてこれらを制御する信号制御部６００を有する。
【００１５】
液晶表示板組立体３００は、等価回路で見る時、複数の信号線Ｇ１−Ｇｎ、Ｄ１−Ｄｍと、これに連結されていてほぼ行列形態に配列された複数の画素ＰＸを有する。また、図２に示した構造で見る時、液晶表示板組立体３００は、互いに対向する下部及び上部表示板１００、２００と、その間に入っている液晶層３を有する。
【００１６】
信号線Ｇ１−Ｇｎ、Ｄ１−Ｄｍはゲート信号（“走査信号”とも言う）を伝達する複数のゲート線Ｇ１−Ｇｎとデータ信号を伝達する複数のデータ線Ｄ１−Ｄｍを有する。ゲート線Ｇ１−Ｇｎはほぼ行方向に伸びて互いにほとんど平行しており、データ線Ｄ１−Ｄｍはほぼ列方向に伸びて互いにほとんど平行している。
【００１７】
各画素ＰＸ、例えば、ｉ番目（ｉ＝１、２、ｎ）のゲート線Ｇｉとｊ番目（ｊ＝１、２、ｍ）のデータ線Ｄｊに連結された画素ＰＸは、ゲート線及びデータ線Ｇｉ、Ｄｊに連結されたスイッチング素子Ｑと、これに連結された液晶キャパシタＣｌｃ及びストレージキャパシタＣｓｔを有する。ストレージキャパシタＣｓｔは必要に応じて省略してもよい。
【００１８】
スイッチング素子Ｑは下部表示板１００に備えられている薄膜トランジスタなどの三端子素子で、その制御端子はゲート線Ｇｉと連結されて、入力端子はデータ線Ｄｊと連結されて、出力端子は液晶キャパシタＣｌｃ及びストレージキャパシタＣｓｔと連結されている。
【００１９】
液晶キャパシタＣｌｃは下部表示板１００の画素電極１９１と上部表示板２００の共通電極２７０を二つの端子とし、画素電極及び共通電極１９１、２７０の二つの電極間の液晶層３は誘電体として機能する。画素電極１９１はスイッチング素子Ｑと連結されて、共通電極２７０は上部表示板２００の全面に形成されていて、共通電圧Ｖｃｏｍの印加を受ける。図２とは異なって、共通電極２７０が下部表示板１００に備えられる場合もあり、この時には、画素電極及び共通電極１９１、２７０の二つの電極のうちの少なくとも１つが線状または棒状に作られてもよい。
【００２０】
液晶キャパシタＣｌｃの補助的な役割を果たすストレージキャパシタＣｓｔは、下部表示板１００に備えられた別個の信号線（図示せず）と画素電極１９１が絶縁体を間に置いて重なって構成され、この別個の信号線には共通電圧Ｖｃｏｍなどの決められた電圧が印加される。しかし、ストレージキャパシタＣｓｔは画素電極１９１が絶縁体を媒介として直上の前段ゲート線と重なって構成されてもよい。
【００２１】
一方、色表示を実現するためには各画素ＰＸが基本色のうちの１つを固有に表示したり（空間分割）、各画素ＰＸが時間によって交互に基本色を表示したりするように（時間分割）して、これら基本色の空間的、時間的合計で望む色相を認識させる。基本色の例としては、赤色、緑色、青色などの三原色がある。図２は、空間分割の一例で、各画素ＰＸが画素電極１９１に対応する上部表示板２００領域に基本色のうちの１つを示す色フィルター２３０を備えることを示している。図２とは異なって、色フィルター２３０は下部表示板１００の画素電極１９１の上または下に形成してもよい。
【００２２】
液晶表示板組立体３００の外側には光を偏光させる少なくとも１つの偏光子（図示せず）が付着されている。
【００２３】
再び図１を参照して説明すると、階調電圧生成部８００は画素ＰＸの透過率と関連する２対の階調電圧集合（または基準階調電圧集合）を生成する。２対のうちの１対は共通電圧Ｖｃｏｍに対して正の値を有し、他の１対は負の値を有する。
【００２４】
ゲート駆動部４００は、液晶表示板組立体３００のゲート線Ｇ１−Ｇｎと連結されて、ゲートオン電圧Ｖｏｎとゲートオフ電圧Ｖｏｆｆの組み合わせからなるゲート信号をゲート線Ｇ１−Ｇｎに印加する。
【００２５】
データ駆動部５００は、液晶表示板組立体３００のデータ線Ｄ１−Ｄｍに連結されており、階調電圧生成部８００からの階調電圧を選択して、これをデータ信号としてデータ線Ｄ１−Ｄｍに印加する。しかし、階調電圧生成部８００が全ての階調に対する電圧を全て提供することとは異なり、決められた数の基準階調電圧のみを提供し、データ駆動部５００が基準階調電圧を分圧して全階調に対する階調電圧を生成し、この中でデータ信号を選択することもできる。
【００２６】
信号制御部６００はゲート駆動部４００及びデータ駆動部５００などを制御する。
このようなゲート駆動部４００、データ駆動部５００、信号制御部６００、及び階調電圧生成部８００の各々の駆動装置は、少なくとも１つの集積回路チップの形態で液晶表示板組立体３００上に直接装着することができ、可撓性印刷回路膜（図示せず）上に装着されてＴＣＰ（ｔａｐｅ  ｃａｒｒｉｅｒ  ｐａｃｋａｇｅ）の形態で液晶表示板組立体３００に付着することもでき、別途の印刷回路基板（図示せず）上に装着することもできる。これとは異なり、これらゲート駆動部４００、データ駆動部５００、信号制御部６００、及び階調電圧生成部８００の各駆動装置を信号線Ｇ１−Ｇｎ、Ｄ１−Ｄｍ及び薄膜トランジスタスイッチング素子Ｑなどと共に液晶表示板組立体３００に集積することもできる。また、ゲート駆動部４００、データ駆動部５００、信号制御部６００、及び階調電圧生成部８００の各駆動装置は単一チップで集積することもでき、この場合、これらのうちの少なくとも１つまたはこれらを構成する少なくとも１つの回路素子が単一チップの外側にあってよい。
【００２７】
次に、このような液晶表示装置の動作について詳細に説明する。
信号制御部６００は、外部のグラフィック制御機（図示せず）から入力映像信号Ｒ、Ｇ、Ｂ、及びその表示を制御する入力制御信号を受信する。入力制御信号の例としては、垂直同期信号Ｖｓｙｎｃと水平同期信号Ｈｓｙｎｃ、メインクロックＭＣＬＫ、データイネーブル信号ＤＥなどがある。
【００２８】
信号制御部６００は、入力映像信号Ｒ、Ｇ、Ｂと入力制御信号に基づいて入力映像信号Ｒ、Ｇ、Ｂを液晶表示板組立体３００の動作条件に合わせて適切に処理し、ゲート制御信号ＣＯＮＴ１及びデータ制御信号ＣＯＮＴ２などを生成した後、ゲート制御信号ＣＯＮＴ１をゲート駆動部４００に出力して、データ制御信号ＣＯＮＴ２と処理したデジタル映像信号ＤＡＴをデータ駆動部５００に出力する。
【００２９】
ゲート制御信号ＣＯＮＴ１は走査開始を指示する走査開始信号ＳＴＶとゲートオン電圧Ｖｏｎの出力周期を制御する少なくとも１つのクロック信号を有する。ゲート制御信号ＣＯＮＴ１はまた、ゲートオン電圧Ｖｏｎの持続時間を限定する出力イネーブル信号ＯＥをさらに有することができる。
【００３０】
データ制御信号ＣＯＮＴ２は、１つの行［束］の画素ＰＸに対する映像データの伝送開始を知らせる水平同期開始信号ＳＴＨと、データ線Ｄ１−Ｄｍにデータ信号を印加することを命令するロード信号ＬＯＡＤ及びデータクロック信号ＨＣＬＫを有する。データ制御信号ＣＯＮＴ２はまた、共通電圧Ｖｃｏｍに対するデータ信号の電圧極性（以下、“共通電圧に対するデータ信号の電圧極性”を略して“データ信号の極性”と言う）を反転させる反転信号ＲＶＳをさらに有することができる。
【００３１】
信号制御部６００からのデータ制御信号ＣＯＮＴ２によって、データ駆動部５００は、１つの行［束］の画素ＰＸに対するデジタル映像信号ＤＡＴを受信し、各デジタル映像信号ＤＡＴに対応する階調電圧を選択することによってデジタル映像信号ＤＡＴをアナログデータ信号に変換した後、これを当該データ線Ｄ１−Ｄｍに印加する。
【００３２】
ゲート駆動部４００は、信号制御部６００からのゲート制御信号ＣＯＮＴ１によってゲートオン電圧Ｖｏｎをゲート線Ｇ１−Ｇｎに印加して、このゲート線Ｇ１−Ｇｎに連結されたスイッチング素子Ｑを導通させる。その結果、データ線Ｄ１−Ｄｍに印加されたデータ信号が導通したスイッチング素子Ｑを通じて当該画素ＰＸに印加される。
【００３３】
画素ＰＸに印加されたデータ信号の電圧と共通電圧Ｖｃｏｍの差は液晶キャパシタＣｌｃの充電電圧、つまり、画素電圧として現れる。液晶分子は画素電圧の大きさによってその配列を異ならせ、そのために液晶層３を通過する光の偏光が変化する。このような偏光の変化は表示板組立体３００に付着された偏光子によって光の透過率変化で現れる。
【００３４】
１水平周期（“１Ｈ”とも言い、水平同期信号Ｈｓｙｎｃ及びデータイネーブル信号ＤＥの一周期と同一である）を単位として、このような過程を繰り返すことによって、全てのゲート線Ｇ１−Ｇｎに対して順次にゲートオン電圧Ｖｏｎを印加し、全ての画素ＰＸにデータ信号を印加して１つのフレームの映像を表示する。
【００３５】
１つのフレームが終われば、次のフレームが始まり、各画素ＰＸに印加されるデータ信号の極性が直前フレームにおける極性と反対になるようにデータ駆動部５００に印加される反転信号ＲＶＳの状態が制御される（“フレーム反転”）。この時、１つのフレーム内でも、反転信号ＲＶＳの特性によって１つのデータ線を通じて流れるデータ信号の極性が変わっても（例えば、行反転、点反転）良いし、１つの画素行に印加されるデータ信号の極性が互いに異なってもよい（例えば、列反転、点反転）。
【００３６】
以下、図３乃至図６を参照して、本発明の他の実施形態による液晶表示装置の構造と動作について詳細に説明する。
図３は、本発明の他の実施形態による液晶表示装置のブロック図であり、図４は、図３に示したデータ駆動部のブロック図であり、図５は、図４に示した伝送ゲート部の回路図であり、図６は、図４に示したシフトレジスタの出力タイミング図である。
【００３７】
図３に示したように、本発明の他の実施形態による液晶表示装置は、液晶表示板組立体３００、これに連結されたゲート駆動部４００、データ駆動部５５０、そしてこれらを制御する信号制御部６５０を有する。
【００３８】
図３に示した液晶表示板組立体３００とゲート駆動部４００は、図１に示したものと実質的に同一であるので、これについての詳細な説明は省略する。以下では説明の便宜のために伝送ゲートの個数を６個としているが、実際のその個数は６個以上であってもよい。
【００３９】
図４に示したように、データ駆動部５５０は、データ電圧線ＬＲ１、ＬＧ１、ＬＢ１、ＬＲ２、ＬＧ２、ＬＢ２、複数のシフトレジスタ５６１を有するシフトレジスタ部５６０、そして各シフトレジスタ５６１に連結されている複数の伝送ゲート部ＴＧＵを有する。
【００４０】
データ電圧線ＬＲ１、ＬＧ１、ＬＢ１、ＬＲ２、ＬＧ２、ＬＢ２は、信号制御部６５０に連結されており、信号制御部６５０からのデータ電圧ＶＲ１、ＶＧ１、ＶＢ１、ＶＲ２、ＶＧ２、ＶＢ２を伝達する。
【００４１】
シフトレジスタ部５６０は、一列に配列されている複数のシフトレジスタ５６１を有し、信号制御部６５０からのシフトレジスタ制御信号ＣＯＮＴ３に基づいてスイッチング制御信号［ＳＲｏｕｔ１−ＳＲｏｕｔ（ｋ）］を生成して各伝送ゲート部ＴＧＵに印加する。
【００４２】
各伝送ゲート部ＴＧＵ、例えばｊ番目のシフトレジスタ［ＳＲ（ｊ）］に連結されている伝送ゲート部ＴＧＵは、入力端子がデータ電圧線ＬＲ１、ＬＧ１、ＬＢ１、ＬＲ２、ＬＧ２、ＬＢ２に各々連結されており、図５に示したように、制御端子が当該シフトレジスタ［ＳＲ（ｊ）］に共通に連結されて、出力端子が各データ線Ｄ６ｊ−５−Ｄ６ｊに各々連結されている６個の伝送ゲートＴＧを有する。
【００４３】
伝送ゲートＴＧ及びシフトレジスタ部５６０は非晶質シリコンまたは多結晶シリコン半導体を有する薄膜トランジスタからなることができ、この場合、画素ＰＸの薄膜トランジスタと共に液晶表示板組立体３００に直接形成することができる。
【００４４】
次に、このような液晶表示装置の動作について詳細に説明し、特にデータ駆動部５５０の動作について詳細に説明する。
以下では、データ線に対する図面符号を別に言及しなければ、‘ＤＬ’を使用し、また、データ線を充電させるというのはデータ線に連結されている画素にデータ電圧を印加して画素を充電させるという意味である。
【００４５】
信号制御部６５０は、上記実施形態で述べたように外部のグラフィック制御機（図示せず）から入力映像信号Ｒ、Ｇ、Ｂ、及びその表示を制御する入力制御信号の提供を受ける。信号制御部６５０は、入力映像信号Ｒ、Ｇ、Ｂと入力制御信号に基づき、入力映像信号Ｒ、Ｇ、Ｂを液晶表示板組立体３００の動作条件に合わせて適切に処理してアナログデータ電圧ＶＲ１、ＶＧ１、ＶＢ１、ＶＲ２、ＶＧ２、ＶＢ２を生成し、ゲート制御信号ＣＯＮＴ１及びシフトレジスタ制御信号ＣＯＮＴ３などを生成した後、ゲート制御信号ＣＯＮＴ１をゲート駆動部４００に出力してデータ電圧ＶＲ１、ＶＧ１、ＶＢ１、ＶＲ２、ＶＧ２、ＶＢ２とシフトレジスタ制御信号ＣＯＮＴ３をデータ駆動部５５０に出力する。
【００４６】
シフトレジスタ制御信号ＣＯＮＴ３は、データ電圧ＶＲ１、ＶＧ１、ＶＢ１、ＶＲ２、ＶＧ２、ＶＢ２の入力開始を指示する水平同期開始信号（シフト開始信号）ＳＴＨと第１及び第２クロック信号ＣＫＨ、ＣＫＨＢなどを有する。
【００４７】
第１及び第２クロック信号ＣＫＨ、ＣＫＨＢの二つのクロック信号は、位相が互いに反対で、５０％のデューティ比を有するが、第１又は第２クロック信号ＣＫＨ、ＣＫＨＢの各クロック信号の半周期に相当する時間を以下では‘１Ｂ'とする。また、水平同期開始信号ＳＴＨはハイ区間が第１又は第２クロック信号ＣＫＨ、ＣＫＨＢの二周期に相当する。
【００４８】
各シフトレジスタ５６１、例えばｊ（ｊは奇数）番目のシフトレジスタ［ＳＲ（ｊ）］は、前段のシフトレジスタ［ＳＲ（ｊ−１）］の出力信号を受信し、１Ｂの後に、出力信号［ＳＲｏｕｔ（ｊ）］を生成して後段のシフトレジスタ［ＳＲ（ｊ＋１）］と伝送ゲート部ＴＧＵに出力する。
【００４９】
但し、第１シフトレジスタＳＲ１は、図４に示したように水平同期開始信号ＳＴＨに同期して出力信号［ＳＲｏｕｔ（１）］を生成するが、水平同期開始信号ＳＴＨがハイレバルである時に出力信号を生成し、ローレベルである時には出力信号を生成しない。
【００５０】
一方、奇数番目のシフトレジスタは第１クロック信号ＣＫＨに同期して出力し、偶数番目のシフトレジスタは第２クロック信号ＣＫＨＢに同期して出力する。上記例に挙げたｊ番目シフトレジスタ［ＳＲ］（ｊ）が第１クロック信号ＣＫＨに同期して出力信号［ＳＲｏｕｔ（ｊ）］を出力する場合、偶数番目のシフトレジスタである前段と後段のシフトレジスタ［ＳＲ（ｊ−１）、ＳＲ（ｊ＋１）］は第２クロック信号ＣＫＨＢに同期して出力信号［ＳＲｏｕｔ（ｊ−１）、ＳＲｏｕｔ（ｊ＋１）］を出力する。
【００５１】
この時、第１シフトレジスタＳＲ１に入力される水平同期開始信号ＳＴＨがハイレバルになれば、第１シフトレジスタＳＲ１は図６に示したようにシフトレジスタ出力信号［ＳＲｏｕｔ（１）］を生成して伝送ゲート部ＴＧＵに印加する。伝送ゲートＴＧは出力信号［ＳＲｏｕｔ（１）−ＳＲｏｕｔ（ｋ）］がハイである時に導通して、ローである時に遮断される。
【００５２】
しかし、図示したように、各出力信号［ＳＲｏｕｔ（１）−ＳＲｏｕｔ（ｋ）］は２つのハイ区間とその間に１つのロー区間を有するので、伝送ゲート部ＴＧＵの伝送ゲートＴＧは二回導通し、これに連結されているデータ線にもデータ電圧が二回印加される。この時、例えば、第１シフトレジスタ出力信号［ＳＲｏｕｔ（１）］の第２ハイ区間と第３シフトレジスタ出力信号［ＳＲｏｕｔ（３）］の第１ハイ区間が重なって、同様に第２シフトレジスタ出力［ＳＲｏｕｔ（２）］の第２ハイ区間と第４シフトレジスタ出力［ＳＲｏｕｔ（４）］の第１ハイ区間が重なる。
【００５３】
各伝送ゲート部ＴＧＵは、同一なデータ電圧線ＬＲ１、ＬＧ１、ＬＢ１、ＬＲ２、ＬＧ２、ＬＢ２に連結されているので、同一な伝送ゲート部ＴＧＵに連結されているデータ線束ＤＬＢには各々二回ずつアナログデータ電圧ＡＤＡＴが印加されるが、第１ハイ区間に印加されるデータ電圧ＡＤＡＴは事前充電（ｐｒｅｃｈａｒｇｅ）のためのデータ電圧ＡＤＡＴｐになり、第２ハイ区間に印加されるデータ電圧ＡＤＡＴは本充電（ｍａｉｎ  ｃｈａｒｇｅ）のためのデータ電圧ＡＤＡＴｍになる。つまり、任意のデータ線束ＤＬＢは前段のシフトレジスタ５６１に伝送ゲート部ＴＧＵを通じて連結されているデータ線束ＤＬＢに本充電のために印加されるデータ電圧ＡＤＡＴｍによって事前充電されて、次いで、１Ｂの後に印加されるデータ電圧ＡＤＡＴによって本充電が行われる。
【００５４】
但し、第１及び第２シフトレジスタ出力信号［ＳＲｏｕｔ（１）、ＳＲｏｕｔ（２）］の第１ハイ区間は重なる区間がないので、事前充電が行われない。この場合には、別途の事前充電用データ電圧印加部７００を置いて、第１及び第２シフトレジスタＳＲ１、ＳＲ２に各々伝送ゲート部ＴＧＵを通じて連結されているデータ線ＤＬを事前充電することができる。この電圧印加部７００は信号制御部６００に含まれても、別途の回路に備えられてもよい。
【００５５】
このように、事前充電と本充電を行うと、ブロックアドレシングで現れるブロック間の境界をなくすことができる。ブロック間の境界は画素に充電される電圧が十分でなくてブロック間に約５乃至１０階調の階調差が目で認識される現象であるが、事前充電によって一定部分画素が充電されて、次いで、充電が行われて完全に充電が行われることによって、ブロック間に現れる境界をなくすことができる。
【００５６】
以上、本発明の好ましい実施形態について詳細に説明したが、本発明の権利範囲はこれに限定されず、特許請求の範囲で定義している本発明の基本概念を利用した当業者の多様な変形及び改良形態は本発明の権利範囲に属する。
【図面の簡単な説明】
【００５７】
【図１】本発明の一実施形態による液晶表示装置のブロック図である。
【図２】本発明の一実施形態による液晶表示装置の１つの画素に対する等価回路図である。
【図３】本発明の他の実施形態による液晶表示装置のブロック図である。
【図４】図３に示したデータ駆動部のブロック図である。
【図５】図４に示した伝送ゲート部を示した図面である。
【図６】図４に示したシフトレジスタの出力タイミング図である。
【符号の説明】
【００５８】
３  液晶層
１００    下部表示板
１９１    画素電極
２００    上部表示板
２３０    色フィルター
２７０    共通電極
３００    液晶表示板組立体
４００    ゲート駆動部
５００、５５０    データ駆動部
５６０    シフトレジスタ部
５６１    シフトレジスタ
６００、６５０    信号制御部
７００    電圧印加部
８００    階調電圧生成部
Ｒ、Ｇ、Ｂ    入力映像信号
ＤＥ    データイネーブル信号
ＭＣＬＫ    メインクロック
Ｈｓｙｎｃ    水平同期信号
Ｖｓｙｎｃ    垂直同期信号
ＣＯＮＴ１    ゲート制御信号
ＣＯＮＴ２    データ制御信号
ＣＯＮＴ３    シフトレジスタ制御信号
ＤＡＴ    デジタル映像信号
ＡＤＡＴ    アナログデータ電圧
Ｃｌｃ    液晶キャパシタ
Ｃｓｔ    ストレージキャパシタ
Ｑ    スイッチング素子
【図１】
2007140528.tif 000003
【図２】
2007140528.tif 000004
【図３】
2007140528.tif 000005
【図４】
2007140528.tif 000006
【図５】
2007140528.tif 000007
【図６】
2007140528.tif 000008